(57)【特許請求の範囲】
【請求項１】
洗濯機を載置する洗濯機載置台をその四周隅部に備える洗濯機用防水パンであって、対向する洗濯機載置台間に形成される空間を、複数の透孔を配列し、これにより透光性および透音性を備えたガード部材により、防水パン本体の内部を防水パン外から視認可能な状態で閉止したことを特徴とする洗濯機用防水パン。
【請求項２】
洗濯機載置台をその四周隅部に備え、対向する洗濯機載置台間に形成される空間を透光性および透音性を備えたガード部材により閉止した請求項１の洗濯機用防水パンにおいて、透光性および透音性を備えたガード部材が、整列した複数の格子片を含むことを特徴とする洗濯機用防水パン。
【請求項３】
洗濯機載置台をその四周隅部に備え、対向する洗濯機載置台間に形成される空間を透光性および透音性を備えたガード部材により閉止した請求項１または２の洗濯機用防水パンにおいて、透光性および透音性を備えたガード部材が、その前面部に整列した複数の格子片を含むことを特徴とする洗濯機用防水パン。
【請求項４】
洗濯機載置台をその四周隅部に備え、対向する洗濯機載置台間に形成される空間を透光性および透音性を備えたガード部材により閉止した請求項１または２の洗濯機用防水パンにおいて、透光性および透音性を備えたガード部材が、その上面部に整列した複数の格子片を含むことを特徴とする洗濯機用防水パン。
【請求項５】
洗濯機載置台をその四周隅部に備え、対向する洗濯機載置台間に形成される空間を透光性および透音性を備えたガード部材により閉止した請求項１の洗濯機用防水パンにおいて、透光性および透音性を備えたガード部材が、網状体または平行に配列した線材を含むことを特徴とする洗濯機用防水パン。
【請求項６】
洗濯機載置台をその四周隅部に備え、対向する洗濯機載置台間に形成される空間を透光性および透音性を備えたガード部材により閉止した請求項１または５の洗濯機用防水パンにおいて、透光性および透音性を備えたガード部材が、その前面部に網状体または平行に配列した線材を含むことを特徴とする洗濯機用防水パン。
【請求項７】
洗濯機載置台をその四周隅部に備え、対向する洗濯機載置台間に形成される空間を透光性および透音性を備えたガード部材により閉止した請求項１または５の洗濯機用防水パンにおいて、透光性および透音性を備えたガード部材が、その上面部に網状体または平行に配列した線材を含むことを特徴とする洗濯機用防水パン。
【発明の詳細な説明】
【技術分野】
【０００１】
本発明は、洗濯機用の防水パンに関するものである。
【背景技術】
【０００２】
防水パンは、洗濯機を安定的に載置するとともに、洗濯機からの漏水の床面への溢水防止等のため、広く使用されている。
【０００３】
洗濯機には、いわゆる縦型洗濯機や回転ドラム式の洗濯機がある。近時、回転ドラム式の洗濯機が増加傾向にあるが、一般に、回転ドラム式洗濯機は、被洗濯物の投入・取出口が縦型洗濯機より低い位置にあることから、使用者によっては、洗濯物の投入・取出しの際に腰を深くかがめることが必要であり、腰に負担がかかるとの問題が生じる。このため、洗濯機の載置面を、従来よりも高い位置とした防水パンが販売されている。洗濯機の載置面を高い位置とすると、防水パンに洗濯機を載置したままで、防水パンの排水口や排水トラップを点検・メンテナンスすることができるとのメリットも生じる。
【０００４】
しかしながら、防水パンの洗濯機載置面の位置を高くすると、一般に、防水パン本体と洗濯機の底部との間に広い間隙が生じることになる。
洗濯機と防水パン本体との間に間隙が生じると、幼児等が手足を入れるなどの危険がある。また、ペットの種類によっては、好んで間隙に入り込む習性がある。防水パンの洗濯機載置面を高い位置とすると、このような問題が生じることから、これをいかに解決するか課題となる。
【０００５】
防水パンの排水口や排水トラップは、往々にして目詰まり等を起こすことがある。防水パンからの溢水の防止のためには目詰まり等を早期に発見することが必要であり、そのためには、排水口まわりの状態を目視等により容易に確認できることが重要である。
集合住宅等においては、防水パンからの溢水は、階下の住居への漏水の問題を引き起こすことから、点検・メンテナンスが定期的に行われることが多い。しかしながら、定期的な点検・メンテナンスを行っても万全とはいえず、使用者が排水口まわりの状態を容易に目視等により確認できることが強く要請される。
【０００６】
一方、洗濯機からはある確率で漏水が生じる。漏水によるパン外への溢水を防止するためには、漏水をいち早く検知し、迅速に対処することが必要である。このため、本出願人は、洗濯機からの漏水を検知し、警告音や光により報知する漏洩検知器を開発した（特願２０１３−１１２１３０号参照）。しかし、防水パンに漏洩検知器を設置しても、当該検知器からの警告音や光が、防水パンにより遮蔽されてしまうと、漏水に対して迅速な対応措置を取ることはできない。
【０００７】
［図６］は、公知の洗濯機用防水パンの一例である（特許文献１参照）。同図の防水パンは、防水パン本体１、周縁２、排水口３，洗濯機の架台（載置台）４、洗濯機載置面４ａ、突条部５等から構成されている。当該防水パンは、別体として、防水パン本体の内部への塵埃等の侵入を防止するとともに防水パン本体の内部（特に、排水口まわり）を隠蔽するための不透明なカバーを備えている。当該不透明カバーは、図示のとおり、幕板６、枠板部７，直状突条部８等から構成される。
［図７］は、当該防水パンに当該カバーを装着し、かつ、洗濯機を載置した状態を示す。
当該防水パンのカバーは、防水パン本体の内部への塵埃等の侵入を防止するとともに、防水パン本体の内部（特に、排水口まわり）を遮蔽することを目的とするものであるため、不透明な素材から構成されている。このため、［図７］の状態で、防水パン本体の排水口まわりの状態を視認することができない。また、当該防水パンの本体内に漏洩検知器を設置しても、当該検知器から発せられる水漏れの警告音や光は、不透明な幕板６や枠板部７によって遮蔽あるいは減衰され、感知・視認が困難となる。したがって、このような構造の防水パンを使用すると、漏水等が発生した際、迅速な対応を期し難い。
【先行技術文献】
【特許文献】
【０００８】
【特許文献１】特開２００７−５６５１１号公報
【発明の概要】
【発明が解決しようとする課題】
【０００９】
上述のとおり、防水パンと洗濯機との間に間隙が存在すると、幼児等が防水パン本体と洗濯機との間隙に手足を入れる危険があり、ペット等が当該間隙に好んで入り込むとの問題がある。
当該間隙をカバーにより閉止すれば、上の問題は一応解決することができるが、カバーは、防水パンの排水口まわりの状態を、外部から視認することを妨げる。また、洗濯機からの漏水を通報する漏洩検知器を設置しても、漏洩検知器からの警告音や光が遮蔽・減衰されてしまい、漏水に対する迅速な対応が妨げられるとの問題が生じる。
本件発明は、これらの問題点を解決することができるとともに、意匠性にも優れた洗濯機用防水パンを提供することをその課題とする。
【課題を解決するための手段】
【００１０】
上記課題は、本発明によるガード部材を備えた防水パンにより解決することができる。
すなわち、本件発明の請求項１に係る発明は、洗濯機を載置する洗濯機載置台をその四周隅部に備える洗濯機用防水パンであって、対向する洗濯機載置台間に形成される空間を、複数の透孔を配列し、これにより透光性および透音性を備えたガード部材により、防水パン本体の内部を防水パン外から視認可能な状態で閉止したことを特徴とする。
請求項２に係る発明は、洗濯機載置台をその四周隅部に備え、対向する洗濯機載置台間に形成される空間を透光性および透音性を備えたガード部材により閉止した請求項１の洗濯機用防水パンにおいて、透光性および透音性を備えたガード部材が、整列した複数の格子片を含むことを特徴とする。
請求項３に係る発明は、洗濯機載置台をその四周隅部に備え、対向する洗濯機載置台間に形成される空間を透光性および透音性を備えたガード部材により閉止した請求項１または２の防水パンにおいて、透光性および透音性を備えたガード部材が、その前面部に整列した複数の格子片を含むことを特徴とする。
請求項４に係る発明は、洗濯機載置台をその四周隅部に備え、対向する洗濯機載置台間に形成される空間をガード部材により閉止した請求項１または２の防水パンにおいて、透光性および透音性を備えたガード部材が、その上面部に整列した複数の格子片を含むことを特徴とする。
請求項５に係る発明は、洗濯機載置台をその四周隅部に備え、対向する洗濯機載置台間に形成される空間を透光性および透音性を備えたガード部材により閉止した請求項１の洗濯機用防水パンにおいて、透光性および透音性を備えたガード部材が、網状体または平行に配列した線材を含むことを特徴とする洗濯機用防水パン。
請求項６に係る発明は、洗濯機載置台をその四周隅部に備え、対向する洗濯機載置台間に形成される空間を透光性および透音性を備えたガード部材により閉止した請求項１または５の洗濯機用防水パンにおいて、透光性および透音性を備えたガード部材が、その前面部に網状体または平行に配列した線材を含むことを特徴とする洗濯機用防水パン。
請求項７に係る発明は、洗濯機載置台をその四周隅部に備え、対向する洗濯機載置台間に形成される空間を透光性および透音性を備えたガード部材により閉止した請求項１または５の洗濯機用防水パンにおいて、透光性および透音性を備えたガード部材が、その上面部に網状体または平行に配列した線材を含むことを特徴とする。
【発明の効果】
【００１１】
本発明によれば、幼児等が防水パン本体と洗濯機との間隙に手足を入れる危険を解消することが可能であり、ペットが防水パン本体と洗濯機との間隙に入り込むことを防止することができるとともに、防水パンの排水口まわりの状態を、日常の使用状態において、外部から容易に視認することが可能となる。
また、洗濯機からの漏水を警告音と光で報知する漏洩検知器を設置した場合において、当該検知機からの警告音や光が遮蔽・減衰されないので、漏水に対して迅速に対応することが可能となる。
さらに、本件発明による洗濯機用防水パンのガード部材は、意匠面においても優れる。
【発明を実施するための形態】
【００１２】
以下、本発明の実施形態について、必要に応じて図面を参照しつつ説明する。
［図1ａ］は、本発明の第１の実施形態について説明する斜視図である。
本発明の第１の実施形態の防水パンは、防水パン本体１１とガード部材１２から構成されている。防水パン本体１１は、その四周に洗濯機を載置する洗濯機載置台１３を備えている。１４は、洗濯載置台１３の洗濯機載置面であり、洗濯機の脚部または底部を安定的に載置する。洗濯機載置面１４の外周部には、洗濯機の脚部等からの漏水があった場合、パン外への溢水を防止するための突条１５が設けられている。
防水パン１１の対向する洗濯機載置台１３の間には外周縁１６が設けられている。外周縁１６は、万一、防水パン１１の内部に漏水した場合、パン外に水が溢水するのを防止する。
本発明は、対向する洗濯機載置台１３の間に形成される空間を透光性および透音性を有するガード部材１２により、防水パン本体１１の内部を防水パン外から視認可能な状態で閉止することを特徴とするところ、この第１の実施形態では、当該空間は、垂直方向に整列する複数の格子片１７により閉止されている。この構成により、透光性および透音性が確保されるとともに、外部から防水パン内の状態を容易に視認することができる。また、洗濯機と防水パンの間隙に幼児等が手足を入れたり、ペットが入り込むことを確実に防止することができる。万一、洗濯機からの漏水が発生した場合にも、漏水はガード部材を透過し、防水パン内部の排水口を通じてスムーズに排出される。
【００１３】
［図１ｂ］は、［図１ａ］の断面図であって、防水パン本体１１と、［図１ａ］の最左端の格子片１７を、格子片１７の長手方向面に沿って切断し、［図１ａ］の右手方向から示したものである。
本実施形態では、格子片１７の前面部１７ａの表面は、全体として凹部を構成しているが、この凹部は、意匠状の観点に基づくものであって、必須ではない。また、格子片１７の上面部１７ｂの後端部は、全体として曲線状に構成されているが、この曲線も意匠状の観点に基づくものであって、必須ではない。
ガード部材１２は複数の格子片１７から構成されるところ、これら複数の格子片１７は、最左端の格子片１７から最右端の格子片１７まで貫通する結合部材１８ａおよび１８ｂにより結合されている。格子片１７と結合部材とは、一体成形されたものであっても、別々に作製された後、接着・融着その他の手段により結合されたものであってもよい。
本実施形態では、結合部材は、矩形断面とされているが、透光性と透音声を害さない限り、その形状は任意である。また、その個数も、任意である。
【００１４】
ガード部材１２を防水パン本体１１に着脱自在に設置される。そのため、格子片１７の一部に、［図１ｂ］の破線で示す支持部１７ｃを設けておくことができる。また、防水パン本体１１（または、その洗濯機載置台）とガード部材１２のいずれか一方に突片（図示せず）を設け、他方に当該突片と係合する凹部（図示せず）を設けることができる。あるいは、互いに接合する突片（図示せず）を両者に設けることもできる。
外周縁１６とガード部材１２のいずれか一方に突片（図示せず）を設け、他方に当該突片と係合する凹部（図示せず）を設けてもよい。
ガード部材を着脱自在とする機構は、他の実施形態においても同様とすることができる。
【００１５】
ガード部材１２は、透明、半透明、不透明、いずれの素材で形成されたものであっても良く、その表面を鍍金あるいは着色したものであってもよい。また、部分的に異なる素材・色彩等とすることもできる。
ガード部材の素材の透明性ならびに鍍金・着色については、他の実施形態においても同様とすることができる。
【００１６】
［図２］は、本発明の第２の実施形態を示す斜視図である。［図２］の防水パンは、［図１ａ］の防水パンと同様に、防水パン本体２１とガード部材２２から構成されており、ガード部材２２の複数の格子片２７前面部が全体として凸面を形成している点、複数の格子片２７の後端部が、全体として直線状に構成される点において異なる。
【００１７】
［図３］は、本発明の第３の実施形態を示す斜視図である。［図３］の防水パンは、防水パン本体３１とガード部材３２から構成されている。
本実施形態の防水パンのガード部材３２の上面部は、［図１ａ］の防水パンと同様に、垂直に整列した複数の格子片３７ｂから構成されているが、その末端には一体成形された縁取り部３８ｂが設けられており、すべての格子片３７ｂが固着されている。縁取り部３８ｂは、別途作製し、接着・融着等により固着されたものであってもよい。
本実施形態では、ガード部材３２の前面の格子片３７ａは、水平方向に整列され、一体成形された縁取り部３８ａにより固着されている。縁取り部３８ａは、別途作製し、接着・融着等により固着されたものであってもよい。
本実施形態のガード部材１２では、第１の実施形態の結合部材１８ａ・１８ｂに相当するような、格子片を結合させるための別部材は必ずしも必要としない。
ガード部材３２は、透明、半透明、不透明、いずれの素材で形成されたものであっても良く、その表面を鍍金あるいは着色したものであってもよい。また、部分的に異なる素材・色彩等とすることもできる。
【００１８】
［図４］は、本発明の第４の実施形態を示す斜視図である。［図４］の防水パンは、防水パン本体４１とガード部材４２から構成されている。
本実施形態の防水パンのガード部材４２は、垂直方向に整列した複数の格子片４７を含む。格子片４７の前面部と上面部の交点に補強部材４９が存在し、格子片４７を補強・結合している。本実施形態では、結合部は、略Ｔ字状の形態をしているが、格子片４７を補強・結合する機能を奏するものであれば、任意の形状であってよい。また、本実施形態においても、格子片４７の周縁に縁取り部材を設けることができる。
［図４］の防水パンでは、垂直方向に整列した複数の格子片４７は、ガード部材４２の前面部および上面部の双方に存在し、パン本体の内部が前面・上面のいずれからも視認可能とされているが、実用上は、いずれか一方のみから視認可能であれば足り、透音性についても問題は生じない。格子片４７を一方のみに存在させる場合、補強部材４７を延在させ、前面全体または後面全体を覆う形状とすることもできる。
補強部材４９は、格子片４７と一体成形されたものであっても、別個に製作し、接着・融着等により固着されたものであってもよい。
ガード部材４２は、透明、半透明、不透明、いずれの素材で形成されたものであっても良く、その表面を鍍金あるいは着色したものであってもよい。また、部分的に異なる素材・色彩等とすることもできる。
【００１９】
［図５］は、本発明の第５の実施形態を示す斜視図である。［図５］の防水パンは、防水パン本体５１とガード部材５２から構成されている。
本実施形態の防水パンのガード部材５２は、複数の格子片５７と幅広の補強部材５９から構成されており、全体として、凸状の曲面を形成している。補強部材５９は、格子片５７と一体成形されたものであっても、別個に製作し、接着・融着等により固着されたものであってもよい。
このような構成のガード部材は、その強度を高くすることが可能である。この実施形態では、Ｔ字状部は、透明ないし半透明の素材で構成することが望ましい。
【００２０】
以上、本発明の第１ないし第５の実施形態を記載したが、本発明の課題である、（１）幼児等が防水パン本体と洗濯機との間隙に手足を入れたり、ペット等が当該間隙に入り込むことを防止する、（２）排水口まわりの状態をパン外から視認することを可能とする、（３）漏洩検知器からの警告音や光を遮蔽しない、などの機能および効果を達成するには、よりシンプルな構成とすることも可能である。
たとえば、金属製の網状体によりガード部材を作製することが可能である。その場合、金属製網状体の外形を、上記実施形態１ないし５のガード部材の外形と同一とすれば、同一の機能を奏し、同一の効果を達成することができる。
金属製網状体の網目は、たとえば、正四角形、正六角形、正八角形を連ねた形状でありうる。網状体ではなく、平行に配列した金属の線材を用いて同様の機能を奏するガード部材を作製することも可能である。使用する金属は、ステンレス、アルミニウム、鍍金した鋼など、防錆性に優れたものを用いることが望ましい。金属製の網状体や平行線材は、ガード部材の外表面の全体に存在する必要はなく、その全面または上面のみであってもよい。
網状体や平行線材の素材を金属に代えてプラスチックや木材等を使用することも可能である。特に、プラスチックを使用する場合、その優れた成形性を利用して、金属製の網状体や平行線材では製作困難なその他の形状とすることも可能である。たとえば、意匠性に富む図形（抽象図形や動植物の図形など）からなる複数の透孔を配列したり、シンプルな複数のスリット状の透孔を配列したガード部材とすることにより、透光性および透音性機能を持たせることもできる。
【００２１】
上述の実施形態において、ガード部材の高さは、防水パン本体の洗濯機載置面の高さとほぼ同一とされているが、脚部の長い洗濯機を載置が想定される場合などは、その高さを洗濯機載置面より高くすることできる。
【００２２】
本発明の防水パンの本体は、樹脂の一体成形により製造することができる。使用に適する樹脂の例としては、高密度ポリエチレン、ポリプロピレン、硬質ポリ塩化ビニル、ポリアセタール、ＡＢＳ樹脂、ナイロンなどを挙げることができる。
【００２３】
ガード部材は、防水パン本体と同一の素材であっても、異なる素材であってもよい。異なる素材の場合、たとえば、ポリカーボネートやポリアクリルを使用すれば、透明度の高いガード部材とすることができる。
ガード部材には、その全体または一部に、鍍金や着色を施すことも可能である。
【図面の簡単な説明】
【００２４】
【図１ａ】本発明の第１の実施形態の防水パンの斜視図。
【図１ｂ】同上の防水パンの断面図。
【図２】本発明の第２の実施形態の防水パンの斜視図。
【図３】本発明の第３の実施形態の防水パンの斜視図。
【図４】本発明の第４の実施形態の防水パンの斜視図。
【図５】本発明の第５の実施形態の防水パンの斜視図。
【図６】公知の防水パンの斜視図
【図７】公知の防水パンに洗濯機を載置した状態の斜視図
【符号の説明】
【００２５】
１１  防水パン本体
１２  ガード部材
１３  洗濯機載置台
１４  洗濯機載置面
１５  突条
１６  外周縁
１７  格子片
１８  結合部材
２１  防水パン本体
２２  ガード部材
２４  洗濯機載置台
２５  突条
２７  格子片
３１  防水パン本体
３２  ガード部材
３４  洗濯機載置台
３５  突条
３７ａ  格子片
３７ｂ  格子片
３８  縁取り部材
４１  防水パン本体
４２  ガード部材
４７  格子片
４９  補強部材
５１  防水パン本体
５２  ガード部材
５７  格子片
５９  補強部材
【要約】
【課題】
洗濯機用防水パンと洗濯機との間の間隙に幼児等が手足を入れたり、ペット等が入り込むのを防止することができるとともに、防水パンの排水口まわりの状態の視認が容易であり、かつ、漏洩検知器からの警告音や光が遮蔽・減衰されることのない洗濯機用防水パンを提供すること。
【解決手段】
洗濯機を載置する洗濯機載置台をその四周隅部に備える洗濯機用防水パンの対向する洗濯機載置台間に形成される空間を、透光性および透音性を備えたガード部材により、防水パン本体の内部を防水パン外から視認可能な状態で閉止する。ガード部材は、好ましくは、整列した複数の格子片を含む。
【選択図】  図１ａ【図１ａ】
0005475179.tif 000002
【図１ｂ】
0005475179.tif 000003
【図２】
0005475179.tif 000004
【図３】
0005475179.tif 000005
【図４】
0005475179.tif 000006
【図５】
0005475179.tif 000007
【図６】
0005475179.tif 000008
【図７】
0005475179.tif 000009